(57)【要約】【課題】尿吸収後においても身体へのフィット性が低下せず、かつ、着用者が安心して使用でき、尿漏れが良好に抑制された男性用吸収性物品を提供する。【解決手段】バックシート３０と吸収体２０の間に、高吸収性ポリマー及び少なくとも１枚の基体不織布４１を有する高吸収性シート４０が設けられており、高吸収性シート４０には、幅方向に略平行に、略帯状の高吸収性ポリマー非担持領域４０ａを少なくとも１つ設けられており、男性用吸収性物品１の幅方向両端部には、長手方向に沿って、立体ギャザー６０が備えられており、立体ギャザー６０が所定の構造を有する男性用吸収性物品１を提供する。【選択図】図１
2019146939.tif 000002
【特許請求の範囲】
【請求項１】
液透過性のトップシートと、液不透過性のバックシートと、前記トップシート及び前記バックシートの間に配置され、吸収性繊維と高吸収性ポリマーを含有する吸収体と、を備える男性用吸収性物品であって、
前記男性用吸収性物品は、腹側部から股部にかけて、幅方向の寸法が漸減する略凧型形状を有し、
前記男性用吸収性物品には、前記バックシートと前記吸収体の間に、高吸収性ポリマー及び少なくとも１枚の基体不織布を有する高吸収性シートが設けられており、
前記男性用吸収性物品の総吸収量は１２０ｇ以上５００ｇ以下であり、
前記男性用吸収性物品の厚みは２ｍｍ以上６ｍｍ以下であり、
前記男性用吸収性物品の、長手方向の最大寸法が２１０ｍｍ以上２９０ｍｍ以下であり、幅方向の最大寸法が、１３０ｍｍ以上２００ｍｍ以下であり、
前記高吸収性シートには、幅方向に略平行に、略帯状の高吸収性ポリマー非担持領域を少なくとも１つ設けられており、
前記男性用吸収性物品の幅方向両端部には、長手方向に沿って、立体ギャザーが備えられており、
前記立体ギャザーは、立体ギャザーシート及び少なくとも１本の伸縮性弾性部材を備えており、
前記立体ギャザーシートは、前記トップシート又は前記バックシートに固定された固定部を有し、前記固定部の、前記男性用吸収性物品の幅方向内側に位置する端部に、前記立体ギャザーシートが起立する起点となる起立基端部を有し、
前記立体ギャザーシートの起立した部分の先端は、前記男性用吸収性物品の幅方向外側の方向に折り曲がることで自由端部を形成し、前記自由端部の長手方向に前記伸縮性弾性部材が配されており、
前記起立基端部が、前記自由端部よりも前記男性用吸収性物品の幅方向内側に位置し、
前記自由端部の長手方向の両端部は、前記トップシートの身体側表面に固定されている接合領域を有する、男性用吸収性物品。
【請求項２】
前記立体ギャザーシートがスパンボンド不織布であり、前記立体ギャザーシートのＪＩＳ  Ｌ  １０９２低水圧法での耐水圧が２０００Ｐａ以上である、請求項１に記載の男性用吸収性物品。
【請求項３】
前記高吸収性シートに設けられた前記高吸収性ポリマー非担持領域が、平面視において、前記接合領域よりも前記男性用吸収性物品の長手方向中心側に位置する、請求項１又は２に記載の男性用吸収性物品。
【請求項４】
前記高吸収性シートが、高吸収性ポリマー及び１枚の基体不織布を有し、前記基体不織布の片側表面が起毛しており、前記基体不織布の起毛した面において、高吸収性ポリマーが固着担持されている、請求項１から３のいずれかに記載の男性用吸収性物品。
【請求項５】
前記高吸収性シートに含まれる高吸収性ポリマーの含有量が、７０ｇ／ｍ２以上４５０ｇ／ｍ２以下であり、前記吸収体に含まれる高吸収性ポリマーの含有量が、前記高吸収性シートに含まれる高吸収性ポリマーの含有量に対して、４０％以上６０％以下である、請求項１から４のいずれかに記載の男性用吸収性物品。
【請求項６】
前記腹側部の端部と前記股部の端部を結ぶ線の寸法に対する、幅方向の両最端部を結ぶ線の寸法が、５０％以上９０％以下であり、
前記腹側部端部と前記股部端部を結ぶ線と幅方向の両最端部を結ぶ線の交点が、前記腹側部端部と前記交点の離間距離と前記交点と股部端部の離間距離との比が１：４から１：７となるように位置している、請求項１から５のいずれかに記載の男性用吸収性物品。
【請求項７】
前記腹側部の端部から前記男性用吸収性物品の幅方向の両最端部にかけて、外側に凸となる略円弧状となっており、前記男性用吸収性物品の幅方向の両最端部から股部端部近傍にかけて、内側に凸となる略円弧状となっている、請求項１から６のいずれかに記載の男性用吸収性物品。
【発明の詳細な説明】
【技術分野】
【０００１】
本発明は、尿吸収後においても身体へのフィット性が低下せず、着用者が安心して使用できる、尿漏れが良好に抑制された男性用吸収性物品に関する。
【背景技術】
【０００２】
近年、高齢化の進行に伴い、尿失禁に悩む中高年者が増加している。一般に、女性中高年者の場合、出産に伴う骨盤底筋の障害によって、咳やくしゃみをしたとき、重いものを持ったときに尿失禁を起こす腹圧性尿失禁が一般的である。一方、男性の場合においても、加齢に伴う前立腺肥大症の発症により、尿失禁を起こす場合がある。このような尿失禁をきたした場合、たとえ少量の尿失禁であっても下着で吸収しきれないことも多く、ボトムスや下着へのシミになったり、においが生じたりすることから、その対策として、男性用の吸収性物品を装着することが勧められている。
【０００３】
ここで、男性用の尿失禁においては、男性の局部の立体構造及び遊動性に起因して尿漏れが起こりやすいため、腹側部から股部にかけて、幅方向の寸法が漸減するいわゆる凧型形状の男性用吸収性物品が上市されている。
【０００４】
男性用吸収性物品として、例えば、特許文献１には、縦方向に離間する第１端域及び第２端域と、横方向に離間する両側域と、両側域間に位置する中央域とを有する吸収性物品であって、少なくとも第１端域に中央域を被覆するトップシートが配置され、両側域に一対のバリアカフシートが配置され、バリアカフシートは第１端域及び第２端域でパッド本体の肌対向面側に固定された両側固定部と両側固定部間で縦方向に延びる自由端部を有し、自由端部は収縮域と非収縮域とを有している、凧型形状の男性用吸収性物品が開示されている。
【先行技術文献】
【特許文献】
【０００５】
【特許文献１】特開２０１５−０５８３２７号公報
【発明の概要】
【発明が解決しようとする課題】
【０００６】
ここで、凧型形状の男性用吸収性物品においても、女性用の生理用ナプキン、紙おむつ等の他の吸収性物品と同様に、幅方向の両端部に長手方向に沿って立体ギャザーが設けられていることが多い（特許文献１のバリアカフシートに相当）。男性用吸収性物品に立体ギャザーを設けることにより、局部の流動性を抑制し、かつ、幅方向からの尿漏れを抑制できるとともに、長手方向の両端が内側に曲がりやすくなることでフィット性が向上する。このように、男性用吸収性物品においても、立体ギャザーは重要な役割を担っている。
【０００７】
ここで、立体ギャザーの構造としては、特許文献１にも記載されているように、立体ギャザーシート及び少なくとも１本の伸縮性弾性部材を備えており、立体ギャザーシートは、男性用吸収性物品の身体側に固定された固定部を有し、固定部の幅方向端部に立体ギャザーが起立する起点となる起立基端部を有し、立体ギャザーシートの先端が折り曲がることで自由端部を形成し、自由端部の長手方向に伸縮性弾性部材が配されるという構造が知られている。ここで、特許文献１や図３及び図４に示されるように、立体ギャザーシート６１の起立した部分の先端が、男性用吸収性物品の幅方向内側に折り曲がることで自由端部６０ｃを形成し、自由端部６０ｃの長手方向に伸縮性弾性部材６２が配され、起立基端部６０ｂが、自由端部６０ｃよりも男性用吸収性物品の幅方向内側に位置する構造である場合には、トップシートと立体ギャザー６０で構成される空間が狭くなり、多量の尿が排出された場合に、尿漏れが生じやすいという問題があった。また、視覚的に平面視における吸収領域が小さくなり、着用者が不安感を生じるという問題があった。
【０００８】
また、吸収体が吸収前に適度な屈曲性を有していたとしても、尿の吸収後には吸収性物品全体の膨潤により屈曲しづらくなることで、身体へのフィット性が低下するとともに、立体ギャザーが起立しづらくなり、結果として尿漏れが生じやすくなるという問題があった。
【０００９】
したがって、本発明は、以上の課題に鑑みてなされたものであり、尿吸収後においても身体へのフィット性が低下せず、着用者が安心して使用できる、尿漏れが良好に抑制された男性用吸収性物品を提供することを目的とする。
【課題を解決するための手段】
【００１０】
本発明の発明者は、上記課題に鑑み、鋭意研究を行った。その結果、吸収性繊維と高吸収性ポリマーを含有する吸収体と所定の構造を有する高吸収性シートを併用し、さらに、立体ギャザーの態様を工夫することにより、上記の課題を解決できることを見出し、本発明を完成するに至った。具体的には、本発明は、以下のものを提供する。
【００１１】
（１）本発明の第１の態様は、液透過性のトップシートと、液不透過性のバックシートと、前記トップシート及び前記バックシートの間に配置され、吸収性繊維と高吸収性ポリマーを含有する吸収体と、を備える男性用吸収性物品であって、前記男性用吸収性物品は、腹側部から股部にかけて、幅方向の寸法が漸減する略凧型形状を有し、前記男性用吸収性物品には、前記バックシートと前記吸収体の間に、高吸収性ポリマー及び少なくとも１枚の基体不織布を有する高吸収性シートが設けられており、前記男性用吸収性物品の総吸収量は１２０ｇ以上５００ｇ以下であり、前記男性用吸収性物品の厚みは２ｍｍ以上６ｍｍ以下であり、前記男性用吸収性物品の、長手方向の最大寸法が２１０ｍｍ以上２９０ｍｍ以下であり、幅方向の最大寸法が、１３０ｍｍ以上２００ｍｍ以下であり、前記高吸収性シートには、幅方向に略平行に、略帯状の高吸収性ポリマー非担持領域を少なくとも１つ設けられており、前記男性用吸収性物品の幅方向両端部には、長手方向に沿って、立体ギャザーが備えられており、前記立体ギャザーは、立体ギャザーシート及び少なくとも１本の伸縮性弾性部材を備えており、前記立体ギャザーシートは、前記トップシート又は前記バックシートに固定された固定部を有し、前記固定部の、前記男性用吸収性物品の幅方向内側に位置する端部に、前記立体ギャザーシートが起立する起点となる起立基端部を有し、前記立体ギャザーシートの起立した部分の先端は、前記男性用吸収性物品の幅方向外側の方向に折り曲がることで自由端部を形成し、前記自由端部の長手方向に前記伸縮性弾性部材が配されており、前記起立基端部が、前記自由端部よりも前記男性用吸収性物品の幅方向内側に位置し、前記自由端部の長手方向の両端部は、前記トップシートの身体側表面に固定されている接合領域を有する、男性用吸収性物品である。
【００１２】
（２）本発明の第２の態様は、（１）に記載の男性用吸収性物品であって、前記立体ギャザーシートがスパンボンド不織布であり、前記立体ギャザーシートのＪＩＳ  Ｌ  １０９２低水圧法での耐水圧が２０００Ｐａ以上であることを特徴とするものである。
【００１３】
（３）本発明の第３の態様は、（１）又は（２）に記載の男性用吸収性物品であって、前記高吸収性シートに設けられた前記高吸収性ポリマー非担持領域が、平面視において、
前記接合領域よりも前記男性用吸収性物品の長手方向中心側に位置することを特徴とするものである。
【００１４】
（４）本発明の第４の態様は、（１）から（３）のいずれかに記載の男性用吸収性物品であって、前記高吸収性シートが、高吸収性ポリマー及び１枚の基体不織布を有し、前記基体不織布の片側表面が起毛しており、前記基体不織布の起毛した面において、高吸収性ポリマーが固着担持されていることを特徴とするものである。
【００１５】
（５）本発明の第５の態様は、（１）から（４）のいずれかに記載の男性用吸収性物品であって、前記高吸収性シートに含まれる高吸収性ポリマーの含有量が、７０ｇ／ｍ２以上４５０ｇ／ｍ２以下であり、前記吸収体に含まれる高吸収性ポリマーの含有量が、前記高吸収性シートに含まれる高吸収性ポリマーの含有量に対して、４０％以上６０％以下であることを特徴とするものである。
【００１６】
（６）本発明の第６の態様は、（１）から（５）のいずれかに記載の男性用吸収性物品であって、前記腹側部の端部と前記股部の端部を結ぶ線の寸法に対する、幅方向の両最端部を結ぶ線の寸法が、５０％以上９０％以下であり、前記腹側部端部と前記股部端部を結ぶ線と幅方向の両最端部を結ぶ線の交点が、前記腹側部端部と前記交点の離間距離と前記交点と股部端部の離間距離との比が１：４から１：７となるように位置していることを特徴とするものである。
【００１７】
（７）本発明の第７の態様は、（１）から（６）のいずれかに記載の男性用吸収性物品であって、前記腹側部の端部から前記男性用吸収性物品の幅方向の両最端部にかけて、外側に凸となる略円弧状となっており、前記男性用吸収性物品の幅方向の両最端部から股部端部近傍にかけて、内側に凸となる略円弧状となっていることを特徴とするものである。
【発明の効果】
【００１８】
本発明の男性用吸収性物品において、吸収性繊維と高吸収性ポリマーを含有する吸収体に加えて、バックシートと吸収体の間に、高吸収性ポリマー及び少なくとも１枚の基体不織布を有する高吸収性シートが設けられており、高吸収性シート４０には、幅方向に略平行に、略帯状の高吸収性ポリマー非担持領域を少なくとも１つ設けられている。このため、尿の吸収後において、男性用吸収性物品全体が膨潤しても高吸収性ポリマー非担持領域が屈曲部として機能し、身体へのフィット性が低下しづらく、また、立体ギャザーも起立した状態を維持できるため、尿漏れが生じにくくなる。
【００１９】
さらに、男性用吸収性物品の幅方向両端部に長手方向に沿って設けられた立体ギャザーが、立体ギャザーシートの起立した部分の先端は、男性用吸収性物品の幅方向外側の方向に折り曲がることで自由端部を形成し、自由端部の長手方向に伸縮性弾性部材が配されており、起立基端部は、自由端部よりも男性用吸収性物品の幅方向内側に位置する。このため、トップシートと立体ギャザーで構成される空間を十分に確保でき、多量の尿が排出された場合においても、尿漏れを生じにくくすることができる。また、視覚的に平面視における吸収領域が大きくなり、着用者が安心感を得ることができる。
【００２０】
よって、本発明によれば、尿吸収後においても身体へのフィット性が低下せず、着用者が安心して使用できる、尿漏れが良好に抑制された男性用吸収性物品を提供することをできる。
【図面の簡単な説明】
【００２１】
【図１】本発明の男性用吸収性物品の平面図である。
【図２】図１のＸ１-Ｘ１断面図である。
【図３】立体ギャザーの態様が本発明とは異なる男性用吸収性物品の平面図である。
【図４】図１のＸ２-Ｘ２断面図である。
【図５】実施例１の男性用吸収性物品の吸収後の状態を示す写真である。
【図６】比較例１の男性用吸収性物品の吸収後の状態を示す写真である。
【発明を実施するための形態】
【００２２】
以下、添付図面を参照して、本発明を実施するための形態について、詳細に説明する。なお、本発明の実施形態の説明の全体を通して、同じ要素には同じ番号又は符号を付している。
【００２３】
＜男性用吸収性物品＞
男性用吸収性物品１は、図１及び図２に示すように、身体側表面に配置された液透過性のトップシート１０と、トップシート１０に対向し、衣類側表面に配置された液不透過性のバックシート３０と、トップシート１０及びバックシート３０の間に配置された吸収性繊維と高吸収性ポリマーを含有する吸収体２０と、を備え、さらに、バックシート３０と吸収体２０の間に、高吸収性ポリマー及び少なくとも１枚の基体不織布４１を有する高吸収性シート４０が設けられており、これにより、吸収体２０及び高吸収性シート４０は、トップシート１０とバックシート３０との間に挟まれた構造となっている。さらに、本明細書の説明において、男性用吸収性物品１及び各種部材の長手方向とは、男性用吸収性物品１が着用されたときに着用者の腹側部Ｏから股部Ｐに亘る方向であり、図中、符号Ｙで示す方向である。また、男性用吸収性物品１及び吸収体２０の幅方向とは、長手方向に対して横又は直交する方向であり、図中、符号Ｘで示す方向である。また、男性用吸収性物品１及び各種部材の身体側表面とは、着用時に着用者の肌に当接する表面を指し、衣類側表面とは、着用時に着用者の衣類に接触する表面を指す。なお、男性用吸収性物品１の長手方向において、腹側部Ｏと股部Ｐに略２等分した。
【００２４】
本発明の男性用吸収性物品１は、腹側部Ｏから股部Ｐにかけて、幅方向の寸法が漸減する略凧型形状を有する。このため、男性の局部を効果的に包み込み、身体の運動に伴って、排尿部位が移動したとしても、尿を効果的に受け止めることができる。また、腹側部端部Ａ、股部端部Ｂ及び幅方向の両最端部Ｃが角張っていると、身体に接触したときに、不快感をもたらすことから、腹側部端部Ａ、股部端部Ｂ及び幅方向の両最端部Ｃについては、図１に示すように、丸くトリミングすることが好ましい。
【００２５】
また、男性用吸収性物品１は、図１に示すように腹側部端部Ａから男性用吸収性物品１の幅方向の両最端部Ｃにかけて、外側に凸となる略円弧状となっており、男性用吸収性物品１の幅方向の両最端部Ｃから股部端部Ｂ近傍にかけて、内側に凸となる略円弧状となっていることが好ましい。男性用吸収性物品１がこのような構造を有することにより、フィット性をより向上させることができる。
【００２６】
本発明の男性用吸収性物品１の寸法は、幅方向の最大寸法が、１３０ｍｍ以上２００ｍｍ以下であり、長手方向の最大寸法が、２１０ｍｍ以上２９０ｍｍ以下である。幅方向の最大寸法が上記の範囲内のものであることにより、男性用吸収性物品１の着用時の違和感を一定程度以下に抑えつつ、男性用吸収性物品１の着用時に、着用者の運動に伴って排尿部位が移動したとしても、男性用吸収性物品１が、全ての移動部位を覆うことができ、尿漏れが生じることを有効に防止することができる。また、男性用吸収性物品１の長手方向の最大寸法が、上記の範囲内のものであることにより、尿漏れを効果的に防止しつつ、座位における股間部の圧迫感を効果的に低減することができる。
【００２７】
また、腹側部端部Ａと股部端部Ｂを結ぶ線の寸法に対する、幅方向の両最端部Ｃを結ぶ線の寸法が、５０％以上９０％以下であり、腹側部端部Ａと股部端部Ｂを結ぶ線と幅方向の両最端部Ｃを結ぶ線の交点が、腹側部端部Ａと交点の離間距離と交点と股部端部Ｂの離間距離との比が１：４から１：７となるように位置することが好ましい。このように調整することにより、男性の局部を十分に包むことができ、着用感をより向上させ、漏れをより効果的に生じにくくすることができる。
【００２８】
男性用吸収性物品１の厚みは、２ｍｍ以上６ｍｍ以下であり、３ｍｍ以上５ｍｍ以下であることが好ましい。このように、男性用吸収性物品１の厚みを調整することにより、薄型化を実現することができる。男性用吸収性物品１の厚みが２ｍｍより小さい場合には、均一な繊維マットの形成が難しく、厚みが６ｍｍより大きい場合には、着用者が座ったり立ったりする動作時に違和感を生じやすくなる。
【００２９】
男性用吸収性物品１の総吸収量は１２０ｇ以上５００ｇ以下である。男性用吸収性物品１の総吸収量が上記の範囲であることにより、多量の尿が排泄された場合であっても十分に尿を吸収することができる。なお、男性用吸収性物品１を約３６℃の０．９％生理食塩水に５分以上浸漬したあとに、網棚に放置して余分な水分をきり、重量を測定し、吸水前後の重量変化（ｇ）を、男性用吸収性物品１の総吸収量とする。
【００３０】
［立体ギャザー］
図１及び図２に示すように、男性用吸収性物品１の幅方向両端部には、長手方向に沿って、立体ギャザー６０が備えられている。男性用吸収性物品１に立体ギャザー６０を設けることにより、局部の流動性を抑制し、かつ、幅方向からの尿漏れを抑制できるとともに、長手方向の両端が内側に曲がりやすくなることでフィット性が向上する。
【００３１】
本発明に用いる立体ギャザー６０は、立体ギャザーシート６１及び少なくとも１本の伸縮性弾性部材６２を備えており、立体ギャザーシート６１は、トップシート１０又はバックシート３０に固定された固定部６０ａを有し、固定部６０ａの、男性用吸収性物品１の幅方向内側に位置する端部に、立体ギャザーシート６１が起立する起点となる起立基端部６０ｂを有し、立体ギャザーシート６１の起立した部分の先端は、男性用吸収性物品１の幅方向外側の方向に折り曲がることで自由端部６０ｃを形成し、自由端部６０ｃの長手方向に伸縮性弾性部材６２が配されている。伸縮性弾性部材６２を長手方向に沿って設けることで、立体ギャザー６０が起立性を有し、着用者の体型に合わせて変形可能なものとなり、フィット性を向上させることができる。
【００３２】
さらに、起立基端部６０ｂが、自由端部６０ｃよりも男性用吸収性物品１の幅方向内側に位置する。このため、トップシート１０と立体ギャザー６０で構成される空間を十分に確保でき、多量の尿が排出された場合においても、尿漏れを生じにくくすることができる。また、視覚的に平面視における吸収領域が大きくなり、着用者が安心感を得ることができる。
【００３３】
自由端部６０ｃの長手方向の両端部は、トップシート１０の身体側表面に固定されている接合領域６０ｄを有する。これにより、立体ギャザー６０接合領域６０ｄを除く部位のみにおいて起立し、接合領域６０ｄを除く領域の起立性を向上させることができる。また、より立体ギャザー６０の起立性を向上させるために、接合領域６０ｄの長手方向の寸法は３０ｍｍ以上７０ｍｍ以下であることが好ましい。
さらに、接合領域６０ｄを除く、トップシート１０の身体側表面からの立体ギャザー６０の高さは、２０ｍｍ以上５０ｍｍ以下であることが好ましい。立体ギャザー６０の高さを上記の範囲とすることにより、尿漏れを十分に抑制することができる。接合領域６０ｄを除く、トップシート１０の身体側表面からの立体ギャザー６０の高さは、２５ｍｍ以上４０ｍｍ以下であることがより好ましい。
【００３４】
さらに、伸縮性弾性部材６２としては、例えば、ポリウレタン糸、帯状のポリウレタンフィルム、糸状又は帯状の天然ゴム等が使用され、糸状、紐状、平型形状のものを適宜使用することができる。なお、１つの自由端部６０ｃに配される伸縮性弾性部材６２の本数は１本以上３本以下であることが好ましい。
【００３５】
疎水性繊維にて形成された撥水性又は液不透過性のシート、例えば、スパンボンド不織布、メルトブロー不織布、ポリエチレンフィルムを用いることができる。また、立体ギャザー６０の坪量は、加工性及び強度の点から、１５ｇ／ｍ２以上１００ｇ／ｍ２以下であることが好ましい。これらのなかでも、液不透過性と肌触りのバランスの良さのため、スパンボンド不織布を用いることが好ましい。
【００３６】
立体ギャザーシート６１のＪＩＳ  Ｌ  １０９２低水圧法での耐水圧が２０００Ｐａ以上であることが好ましい。立体ギャザーシート６１のＪＩＳ  Ｌ  １０９２低水圧法での耐水圧が２０００Ｐａ以上であることにより、着用者の動作により、男性用吸収性物品１に圧力がかかったとしても、立体ギャザーシート６１からの尿漏れを防止することができる。
【００３７】
［吸収体］
吸収体２０は、基材としての吸収性繊維と、高吸収性ポリマーと、を含有する。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２０の吸収性繊維は、吸収性能及び肌触りを損なわず、かつ、薄型にするために、１００ｇ／ｍ２以上６００ｇ／ｍ２以下の坪量とすることが好ましい。吸収体２０の厚みは０．５ｍｍ以上３．４ｍｍ以下であることが好ましい。
【００３８】
高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。高吸収性ポリマーは、吸収性能及び肌触りを損なわないよう、５０ｇ／ｍ２以上５００ｇ／ｍ２以下の坪量とすることが好ましく、吸収体２０の総量に対して３０質量％以上５０質量％以下の含有量とすることが好ましい。
【００３９】
また、吸収体２０に含まれる高吸収性ポリマーの含有量が、高吸収性シート４０に含まれる高吸収性ポリマーの含有量に対して、４０％以上６０％以下であることが好ましい。吸収体２０に含まれる高吸収性ポリマーの含有量を、高吸収性シート４０に含まれる高吸収性ポリマーの含有量よりも小さくし、かつ、上記の範囲にすることにより、吸収体２０の吸収性を確保しつつ、後述する高吸収性シート４０の高吸収性ポリマー非担持領域４０ａを起点とした屈曲性を損なわず、尿吸収後においてもフィット性を維持することができる。
【００４０】
なお、図示していないが、吸収体２０を製造工程で安定的に搬送するために吸収体２０の身体側及び／又は衣類側にキャリアシートを設けることができる。キャリアシートの基材としては親水性を有するものであればよく、ティシュ、吸収紙、エアレイド不織布等の親水性不織布を挙げることができる。
【００４１】
［高吸収性シート］
本発明の男性用吸収性物品１において、図２に示すように、バックシート３０と吸収体２０の間に、高吸収性シート４０が設けられている。バックシート３０と吸収体２０の間に、高吸収性シート４０が設けられていることにより、吸収体２０に加えて男性用吸収性物品１全体としての吸収力を向上させることができる。高吸収性シート４０の、長手方向の寸法は１３０ｍｍ以上１８０ｍｍ以下であることが好ましく、幅方向の寸法は、５０ｍｍ以上７０ｍｍ以下であることがより好ましく、高吸収性ポリマー非担持領域４０ａを除く領域における、高吸収性シート４０の厚みは１．１ｍｍ以上２．１ｍｍ以下であることが好ましい。
【００４２】
高吸収性シート４０は、高吸収性ポリマー及び少なくとも１枚の基体不織布４１を有する。基体不織布４１としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。これらのなかでも、嵩高さを得やすいエアスルー不織布を用いることが好ましい。また、高吸収性シート４０の態様としては、例えば、該２枚の基体不織布４１間に高吸収性ポリマーを固着担持された構造であってもよいが、図２に示すように、高吸収性シート４０が、高吸収性ポリマー及び１枚の基体不織布４１を有し、基体不織布４１の片側表面が起毛しており、基体不織布４１の起毛した面において、高吸収性ポリマーが固着担持されていることが好ましい。特に、基体不織布４１を起毛させる場合には、基体不織布４１がエアスルー不織布であることが好ましい。基体不織布４１が起毛していることにより、不織布本来の嵩高さに加えて、適度な厚みとやわらかさが付与されることにより、適度なクッション性が発生し、着用時のフィット感を向上することができる。基体不織布４１の片側表面を起毛させる方法としては、回転ノコ刃、ニードルパンチが挙げられ、インラインでの生産性やコストの観点から回転ノコ刃により毛羽立たせる方法を用いることが好ましい。
【００４３】
この場合において、基体不織布４１の起毛した面が身体側に向くように配置すると、一度に多量の尿が基体不織布４１を介さずに基体不織布４１の起毛した面に固着担持された高吸収性ポリマーに移行することになり、当該高吸収性ポリマーがゲルブロッキングを起こし、吸収速度が低下する場合がある。よって、本発明の男性用吸収性物品１においては、図２に示すように、基体不織布４１の起毛した面が衣類側に向くように配置することが好ましい。基体不織布４１をこのように配置することにより、基体不織布４１の起毛した繊維を介して尿が高吸収性ポリマーに導かれることにより、吸収速度の低下を抑制することができる。
また、上記のとおり、本発明においては、バックシート３０と吸収体２０の間に、高吸収性シート４０が設けられているため、特に、男性用吸収性物品１への排尿頻度が多く、又は、排尿量が多い場合には、基体不織布４１の起毛した面に固着担持された高密度に存在する高吸収性ポリマーのゲルブロッキングが生じにくいという点で有効である。
【００４４】
また、起毛処理した面への尿の移行性及び生産性の観点から、基体不織布４１の坪量は、２０ｇ／ｍ２以上１６０ｇ／ｍ２以下であることが好ましく、３０ｇ／ｍ２以上１００ｇ／ｍ２以下であることがより好ましい。
【００４５】
さらに、基体不織布４１を構成する繊維の太さは、１．６ｄｔｅｘ以上１４ｄｔｅｘ以下であることが好ましく、１．８ｄｔｅｘ以上９．０ｄｔｅｘ以下であることがより好ましく、２．０ｄｔｅｘ以上６．０ｄｔｅｘ以下であることが更に好ましい。上記の範囲で基体不織布４１を構成する繊維の太さを調整することにより、基体不織布４１の起毛した部分の繊維間に高吸収性ポリマーを分散させて固着担持しやすくすることができる。
【００４６】
（高吸収性シートに用いる高吸収性ポリマー）
高吸収性シート４０に用いる高吸収性ポリマーとしては、吸収体２０と同様の素材を用いることができる。また、高吸収性シート４０に用いる高吸収性ポリマーの坪量は、男性用吸収性物品１に要求される吸収性能を確保するために、７０ｇ／ｍ２以上４５０ｇ／ｍ２以下とすることが好ましい。また、吸収性能、吸収後の肌触り及び着用者の動きやすさをより向上させる観点から、高吸収性ポリマーの坪量は、１９０ｇ／ｍ２以上４００ｇ／ｍ２以下とすることがより好ましい。
【００４７】
上記の範囲に調整することにより、吸収性を確保しつつ、フィット性が良好に維持することができ、尿漏れを十分に防止することができる。なお、高吸収性ポリマーの含有量が７０ｇ／ｍ２未満の場合には、吸収性を確保することができず、尿漏れを十分に防ぐことができず、３７０ｇ／ｍ２を超える場合には、吸収後の男性用吸収性物品１が厚くなり、また、屈曲性を十分に得られず、尿漏れが生じやすくなる。
【００４８】
また、粉体としての流動性が悪い微粉末を避けることにより、吸収に関する基本性能を高め、かつ、ごつごつとした触感を低減する観点から、高吸収性ポリマーの中位粒子径は、５０μｍ以上６００μｍ以下であることが好ましく、１００μｍ以上５００μｍ以下であることがより好ましい。
【００４９】
高吸収性ポリマーは、接着剤により、基体不織布４１（起毛している場合には、起毛した面）に固着担持されている。接着剤としては、汎用性に優れるホットメルト接着剤であることが好ましい。なお、高吸収性ポリマーの吸収性を阻害せず、かつ、着用時の肌触りを損なわないように、ホットメルト接着剤の含有量は１０ｇ／ｍ２以下であることが好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００５０】
（親水性シート）
本発明において、図２に示すように、基体不織布４１及び基体不織布４１に固着担持された高吸収性ポリマーは、親水性シート５０により包まれていることが好ましい。これにより、高吸収性ポリマーの漏れを防止することができ、着用時の肌触りも向上させることができる。親水性シート５０としては、ティシュ、吸収紙、スパンボンド不織布やエアレイド不織布等の親水性不織布を挙げることができる。これらの中でもコスト性に優れ、高吸収性ポリマーの漏れを効果的に抑制できる、ティシュを用いることが好ましい。また、ティシュは伸長性があるため、高吸収性ポリマーの膨潤を阻害しない観点からも好ましい。親水性シート５０の坪量は、７ｇ／ｍ２以上４５ｇ／ｍ２以下とすることが好ましく、８ｇ／ｍ２以上１８ｇ／ｍ２以下とすることがより好ましい。なお、基体不織布４１及び基体不織布４１に固着担持された高吸収性ポリマーを親水性シート５０で包む際には、基体不織布４１と親水性シート５０とを、ホットメルト接着剤や熱エンボス加工により固定することが好ましい。
【００５１】
（高吸収性ポリマー非担持領域）
図１に示すように、本発明において、高吸収性シート４０には、幅方向に略平行に、略帯状の高吸収性ポリマー非担持領域４０aが少なくとも１つ設けられている。尿の吸収後において、男性用吸収性物品１全体が膨潤しても高吸収性ポリマー非担持領域４０ａが屈曲部として機能し、身体へのフィット性が低下しづらく、また、立体ギャザー６０も起立した状態を維持できるため、尿漏れが生じにくくなる。また、このように高吸収性ポリマー非担持領域４０ａを有する高吸収性シート４０が、吸収体２０よりも衣類側に位置するため、尿吸収後の屈曲性がより良好となる。
【００５２】
１つの高吸収性ポリマー非担持領域４０ａの長手方向の寸法は１０ｍｍ以上５０ｍｍ以下であることが好ましく、１０ｍｍ以上２０ｍｍ以下であることがより好ましい。一つの高吸収性ポリマー非担持領域４０ａの長手方向の寸法を上記の範囲に調整することにより、高吸収性シート４０の吸収性を損なわずに屈曲性を付与することができ、かつ、尿吸収後においても屈曲性が維持され、フィット性を維持することができる。
【００５３】
また、高吸収性ポリマー非担持領域４０ａの数は１又は２であることがより好ましい。高吸収性ポリマー非担持領域４０ａの数を上記の範囲に調整することにより、高吸収性シート４０の吸収性を損なわずに屈曲性を付与することができる。
【００５４】
また、高吸収性ポリマー非担持領域４０ａは、男性用吸収性物品１の腹側部端部Ａから、腹側部端部Ａと股部端部Ｂとの離間距離に対して、３０％以上７０％以下の位置に設けられることが好ましく、４０％以上６０％以下の位置に設けられることがより好ましい。高吸収性ポリマー非担持領域４０ａが上記の位置に設けられることにより、高吸収性ポリマー非担持領域４０ａの屈曲部としての機能がより発揮され、フィット性がより良好となる。
【００５５】
さらに、高吸収性ポリマー非担持領域４０ａが、平面視において、接合領域６０ｄよりも男性用吸収性物品１の長手方向中心側に位置することが好ましい。高吸収性ポリマー非担持領域４０ａが平面視において、接合領域６０ｄよりも男性用吸収性物品１の長手方向中心側に位置することにより、尿を吸収する前だけでなく、吸収体２０が膨潤したときに男性用吸収性物品１を屈曲させても、伸縮性弾性部材が立体ギャザーを起立させることができる。
【００５６】
［トップシート］
トップシート１０は、男性用吸収性物品１の内部に向けて体液を速やかに通過させるものであり、吸収体２０を挟んで、バックシート３０に対向して配置される。トップシート１０は、肌と当接するシートとなることから、やわらかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート１０は、単層であっても、複数層積層していてもよく、ドライタッチ性を付与するために多数の透孔が形成されていてもよい。
【００５７】
また、上記のような性質を有する親水性不織布としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。
【００５８】
トップシート１０の坪量は、加工性及び強度の点から、１５ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００５９】
［バックシート］
本発明に用いるバックシート３０としては、液不透過性であり、かつ、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。また、バックシート３０の坪量は、加工性及び強度の点から、１５ｇ／ｍ２以上６０ｇ／ｍ２以下であることが好ましい。
【００６０】
（粘着層）
バックシート３０の衣類側表面に粘着層が設けられていることが好ましい。バックシート３０の衣類側表面に粘着層を設けることにより、男性用吸収性物品１を下着に確実に固定し、男性用吸収性物品１の位置ずれを防止することができる。また、図示しないが、粘着層を保護するための剥離シートを有していてもよく、この剥離シートは、男性用吸収性物品１の包装シートと部分的に接合されていてもよい。
【００６１】
＜男性用吸収性物品の製造方法＞
男性用吸収性物品１の製造方法としては、特に限定はなく、従来公知の方法を採用することができ、例えば、立体ギャザー６０をあらかじめトップシート１０に配置し、さらに、粘着層をバックシート３０の衣類側に設けたうえで、吸収体２０をトップシート１０及びバックシート３０の間に配置し、さらに、バックシート３０と吸収体２０の間又はトップシート１０と吸収体２０の間に、高吸収性シート４０を、基体不織布４１の起毛した面が衣類側を向くように配置する。各層はホットメルト接着剤やヒートエンボス、超音波エンボス、高周波エンボス等を用いて固定することで製造することができる。
【００６２】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００６３】
以下、本発明について、実施例を挙げて詳細に説明する。なお、本発明は、以下に示す実施例に何ら限定されるものではない。
【００６４】
＜実施例１＞
（高吸収性シートの作製）
高吸収性シートに用いる基体不織布としてエアスルー不織布（幅７０ｍｍ、坪量４０ｇ／ｍ２）を用意し、基体不織布の片側表面をノコ刃で物理的に起毛させ、起毛した面にホットメルト接着剤を塗布し（幅６０ｍｍ）、高吸収性ポリマー（坪量３８０ｇ／ｍ２）を分散させた。なお、高吸収性シートを男性用吸収性物品に配置させる際に、腹側部から股部にかけて、高吸収性ポリマー担持領域１１０ｍｍ、高吸収性ポリマー非担持領域１０ｍｍ、高吸収性ポリマー担持領域８０ｍｍの構成となるように、ホットメルトを塗布する際に１部は塗布せず、高吸収性ポリマーを担持しない高吸収性ポリマー非担持領域を設けた。次に、親水性シートとしてスパンボンド不織布（幅１８０ｍｍ、坪量１５ｇ／ｍ２）を用意し、ホットメルト接着剤を塗布し、起毛した面から基体不織布及び基体不織布に固着担持された高吸収性ポリマーを包んだ。このようにして、高吸収性シート（高吸収性ポリマーの含有量が４ｇ）を得た。
（その他の部材の作製）
次に、このようにして得た高吸収性シートを、当該基体不織布の起毛した面を衣類側に向くようにして、あらかじめ用意したフラッフパルプ及び高吸収性ポリマーを有する吸収体の身体側に配置した。なお、吸収体に含まれる高吸収性ポリマーは高吸収性シートに担持された高吸収性ポリマーの６０％の量であり、坪量が１１２ｇ／ｍ２、吸収体に対する含有量を４５質量％となるように調整した。
次に、ホットメルト接着剤を塗布したバックシートの上に、上記の高吸収性シート及び吸収体を下から順に配置し、更にトップシートを積層した。その後、幅方向１６ｃｍ長手方向２６ｃｍの凧型のトムソン刃でカットし、略凧型形状の男性用吸収性物品を作製した。また、トップシートとしては、親水性エアスルー不織布（幅７０ｍｍ、坪量２０ｇ／ｍ２）を用い、バックシートとしては、通気性ポリエチレンフィルム（坪量３２ｇ／ｍ２）を用いた。なお、トップシートには、起立基端部が、自由端部よりも男性用吸収性物品の幅方向内側に位置し、自由端部の長手方向の両端部は、トップシートの身体側表面に固定されている接合領域を有するように、男性用吸収性物品の幅方向両端部には、長手方向に沿って、立体ギャザー（１つの自由端部に配される伸縮性弾性部材の本数は２本）を設けた。このようにして、実施例１の男性用吸収性物品を得た。
＜比較例１＞
高吸収性ポリマー非担持領域を設けなかった点以外は、実施例１と同様の方法により、比較例１の男性用吸収性物品を得た。
【００６５】
（吸収後の状態評価）
実施例１及び比較例1の男性用吸収性物品の略中心部に、１００ｍｍの０．９％生理食塩水を２回にわたり注水し（計２００ｍｌ）、それぞれの男性用吸収性物品の状態を確認した。図５は吸収後の実施例１の男性用吸収性物品の状態を示す写真であり、図６は、比較例１の男性用吸収性物品の状態を示す写真である。図５に示すように、実施例１の男性用吸収性物品では、男性用吸収性物品全体が膨潤しても高吸収性ポリマー非担持領域が屈曲部として機能し屈曲性が維持され、また、立体ギャザーも起立した状態を維持できていた。一方で、比較例１の男性用吸収性物品では、図６に示すように、吸収性物品全体の膨潤により屈曲することができず、立体ギャザーが起立しない状態となった。
【符号の説明】
【００６６】
１        男性用吸収性物品
１０      トップシート
２０      吸収体
３０      バックシート
４０      高吸収性シート
４０ａ    高吸収性ポリマー非担持領域
４１      基体不織布
５０      親水性シート
６０      立体ギャザー
６１      立体ギャザーシート
６２      伸縮性弾性部材
６０ａ    固定部
６０ｂ    起立基端部
６０ｃ    自由端部
６０ｄ    接合領域
Ａ        腹側部端部
Ｂ        股部端部
Ｃ        幅方向の両最端部
Ｄ        交点
Ｏ        腹側部
Ｐ        股部
【図１】
2019146939.tif 000003
【図２】
2019146939.tif 000004
【図３】
2019146939.tif 000005
【図４】
2019146939.tif 000006
【図５】
2019146939.tif 000007
【図６】
2019146939.tif 000008